(57)【要約】  上側及び下側に導体条片を持ちかつ貫通開口壁面をめっきされない開口（２）を持つ電気部品が紹介され、印刷回路板の開口（２）が所定の寸法（Ｄ２）を持ち、接触ピン（１）が、押圧結合部を形成する少なくとも１つの部分長（ｌ  １．１）において、開口の寸法（Ｄ２）に対して所定の過剰寸法（Ｄ１．１＞Ｄ２）を持っている。接触ピン（１）の導入可能な長さ（ｌ  １）が開口（２）の深さ（ｌ  ２）より大きく、従って接触ピン（１）が、圧入された状態で印刷回路板（２）を貫通して導入方向へ突出している。  本発明によれば、接触ピン（１）が、第１の部分長（ｌ  １．１）にわたってのみ、開口（２）に対して過剰寸法（Ｄ１．１）を持ち、導入方向にある側に、開口の寸法（Ｄ２）より小さい不足寸法（Ｄ１．２＜Ｄ２）を有する第２の部分長（ｌ  １．２）を持ち、第１の部分長（ｌ  １．１）が印刷回路板の開口（２）の深さ（ｌ  ２）より小さく、従って導入後第２の部分長（ｌ  １．２）の一部が開口内に残る。  接触区域の電気接続は接触ピンによって行われ、この接触ピンが導入方向において逆の側において圧入状態でこの側にある接触区域（３）の縁（３．２）と過剰寸法（Ｄ１．１）により接触し、なるべく気密に冷間溶接され、導入方向にある側でそこの接触区域（６）と流動ろう付けされる。【選択図】図１
2007522684.tif 000002
【特許請求の範囲】
【請求項１】
上側及び下側に電気導体条片（３，６）を持ちかつ貫通開口壁面をめっきされない印刷回路板（２）から成る電気部品において、上側及び下側にある導体条片（３，６）の電気接続が、少なくとも１つの導電性接触ピン（１）によって行われ、
ａ）印刷回路板が少なくとも１つの金属被覆されない開口（２）を持ち、
ｂ）印刷回路板の開口（２）が所定の寸法（Ｄ２）を持ち、接触ピン（１）が、押圧結合部を形成する第１の部分長（ｌ  １．１）にわたって、開口の寸法（Ｄ２）に対して所定の過剰寸法（Ｄ１．１＞Ｄ２）を持ち、かつ
ｃ）導入方向にあって、開口の寸法（Ｄ２）より小さい不足寸法（Ｄ１．２＜Ｄ２）を有する第２の部分長（ｌ  １．２）を持ち、
ｄ）第１の部分長（ｌ  １．１）が印刷回路板の開口（２）の深さ（ｌ  ２）より小さく、従って導入後第２の部分長（ｌ  １．２）の一部が開口内に残り、
ｅ）接触ピン（１）の導入可能な長さ（ｌ  １）が開口（２）の深さ（ｌ  ２）より大きく、従って接触ピン（１）が、圧入された状態で印刷回路板（２）を貫通して導入方向へ突出し、
ｆ）印刷回路板（９）の上側及び下側で開口（２）の周りに、それぞれ接触区域（３，６）が設けられ、これらの接触区域が開口（２）の寸法（Ｄ２）に相当する縁を形成し、従って圧入された状態で接触ピン（１）が、導入方向において逆の側で、そこにある印刷回路板の接触区域（３）に接触し、
ｇ）接触ピン（１）が、導入方向にある側で、そこにある印刷回路板の接触区域（６）と流動ろう付けにより結合されている
ことを特徴とする、電気部品。
【請求項２】
接触ピンの第２の部分長（ｌ  １．２）が第１の部分長（ｌ  １．１）への移行範囲を持ち、この移行範囲において連続的な先細りが行われることを特徴とする、請求項１に記載の電気部品。
【請求項３】
接触ピン（１）が中実に形成されていることを特徴とする、請求項１又は２に記載の電気部品。
【請求項４】
ＣＥＭ材料又はＦＲ４材料から成る印刷回路板（９）が使用されることを特徴とする、先行する請求項の１つに記載の電気部品。
【請求項５】
接触ピン（１）の導入可能な長さ（ｌ  １）を限定するストッパ（１．３）が設けられていることを特徴とする、先行する請求項の１つに記載の電気部品。
【請求項６】
接触ピン（１）の圧入の際、導入方向において逆の側で、そこにある接触区域（３）の縁が、接触ピン（１）と冷間溶接され、印刷回路板の上側で接触ピン（１）と接触区域（３）との間に、気密なろうなし圧入結合部が生じることを特徴とする、先行する請求項の１つに記載の電気部品。
【請求項７】
開口（２）が印刷回路板（９）に打抜かれていることを特徴とする、先行する請求項の１つに記載の電気部品。
【発明の詳細な説明】
【技術分野】
【０００１】  本発明は、請求項１の上位概念に記載の印刷回路板の開口へ圧入するための導電性接触ピンを持つ電気部品に関する。
【背景技術】
【０００２】  このような圧入接触ピンは、１片から中実に又はばね開口の形成により弾性的に形成される。印刷回路板の開口は金属被覆されて所定の寸法を持ち、従って一般に設けられる丸い開口では特定の直径を持っている。従って接触ピンは、少なくとも一部の範囲に、押圧結合部を形成するため、開口の寸法に対して所定の過剰寸法を持ち、それが圧力ばめを規定する。更に一般に接触ピンの導入可能な長さは、開口の深さより大きいので、圧入された状態で接触ピンは、印刷回路板を貫通して導入方向へ突出している。【０００３】  特に中実の接触ピンでは、印刷回路板特にＤＥＭ材料又はＦＲ４材料から成る印刷回路板では、圧入する際の力のため開口の縁範囲に変形が起こる。特に貫通開口壁面をめっきされない貫通開口では、接触ピンの導入方向にある側の導体条片との接触がおこなわれない、という危険がある。特に印刷回路板の誘電体母材の範囲も、圧入の際圧入方向において接触ピンと印刷回路板の導体条片との間へ押込まれる可能性がある。誘電体母材自体は、ろう付け過程においてぬれないので、接触部が形成されないことがある。
【発明の開示】
【課題が解決しようとする課題】
【０００４】  本発明の課題は、この問題を回避する電気部品を提示することである。
【課題を解決するための手段】
【０００５】  この課題は請求項１の特徴によって解決される。有利な展開は従属請求項からわかる。
【０００６】  本発明が図及び実施例により以下に詳細に説明される。
【発明を実施するための最良の形態】
【０００７】  変形従って場合によってはそれに伴う電気的接触の問題を回避するため、接触ピン１は、第１の部分長ｌ１．１にわたってのみ開口２に対して過剰寸法を持ち、即ち開口２の直径Ｄ２に対して大きい直径Ｄ１．１が、接触ピンの一部にわたってのみ存在し、導入方向にあって開口２の寸法Ｄ２より小さい不足寸法（Ｄ１．２＜Ｄ２）を持つ第２の部分長ｌ  １．２が設けられている。【０００８】  第１の部分長ｌ  １．１は印刷回路板の開口２の深さｌ  ２より小さいので、導入後第２の部分長ｌ  １．２の少なくとも一部が開口内に留まる。それにより圧入の際中実接触ピン１の所でも、導入方向にある側で印刷回路板の変形が全く又は極めて僅かしか起こらない。こうして圧入後接触ピン１と開口２の下縁範囲５との間に間隙７が残り、適切な寸法設定では、この間隙７へのろう８の進入を可能にするのに充分である。【０００９】  過剰寸法Ｄ１．１を持つ接触ピン１の第１の部分長ｌ  １．１の縁は、圧入後、開口２の寸法に一致する接触区域３の縁３．２に接触する。その際接触ピン１と接触区域３との冷間溶接が縁３．２の所で行われるのが好ましく、印刷回路板の上側で接触ピン１と接触区域３との間に、気密なろうなし押圧結合部が生じる。【００１０】  接触ピン１の導入可能な長さｌ  １は、接触ピン１から形成されるストッパ１．３によつて限定され、少なくとも２つの側でなるべく力分布をよくするため、このストッパ１．３は軸線に対して対称に取巻くように形成されている。【００１１】  図示した構成では、第２の部分長ｌ  １．２は第１の部分長ｌ  １．１への移行範囲を持ち、この移行範囲で連続的な先細りが行われる。それにより導入の際動かなくなるのを防止され、開口２に対する接触ピン１の相対的同心配置が可能になる。【００１２】  このような接触ピンは、なるべく流動ろう付けにより、接触ピンの導入方向にある側で、印刷回路板と接続される。この接触ピンの特別な利点は、図１に示されている結合部を見ると明らかである。そこでは印刷回路板の開口２の下縁範囲の僅かな変形と、流動ろう付け中にろうの流入による下側での良好なろう付け結合が明らかに認められ、この縁範囲における印刷回路板９の誘電体材料が殆ど変形せず、少なくとも接触ピン１と導体条片６との間の範囲までもたらされないので、ぬれの問題も起こらない。【００１３】  このような接触ピンは、電気部品の電気構造要素を印刷回路板に結合するために利用可能であり、少なくとも１つの構造要素が適当な接触ピン１を持ち、接触ピン１が、導入方向にある印刷回路板側で、流動ろう付けにより印刷回路板９の導体条片６と電気的に接続されている。【００１４】  更にこのような接触ピンは、印刷回路板９の上側及び下側で導体条片３，６の接触区域の開口２へ接触ピン１が圧入されていることによって、印刷回路板の上側及び下側で電気導体条片３，６の接続部の形成のために適している。接触ピン１のストッパ１．３は、導入方向において逆の側で、そこにある導体条片３の接触区域に接触し、導入方向にある側で接触ピン１が、流動ろう付けによりそこにある導体条片６の接触区域に電機接続されている。【００１５】  このような電気部品は、圧入接触ピン特に中実の接触ピンを持��部品には適していなかった安価な材料特にＣＥＭ１，ＣＥＭ３又はＲＦ４から成る印刷回路板９により構成可能である。印刷回路板９にある開口２は金属被覆される必要がなく、印刷回路板９に打抜き可能である。【００１６】  これらの安価な印刷回路板に対して、流動ろう付け過程と共に提案された接触ピンにより、著しい費用節約が行われる。
【図面の簡単な説明】
【００１７】
【図１】  本発明による接触ピンを持つ部品を示す。
【図２】  圧入前における接触ピン及び印刷回路板を示す。
【符号の説明】
【００１８】１          接触ピン
２          開口
３，６      接触区域
８          ろう
９          印刷回路板
Ｄ１．１    過剰寸法
Ｄ１．２    不足寸法
Ｄ２        開口の寸法
ｌ  １      導入可能な長さ
ｌ  １．１  第１の部分長
ｌ  １．２  第２の部分長
ｌ  ２      開口の深さ
【図１】
2007522684.tif 000003
【図２】
2007522684.tif 000004
【国際調査報告】
2007522684.tif 000005
2007522684.tif 000006
2007522684.tif 000007
2007522684.tif 000008
2007522684.tif 000009
2007522684.tif 000010